(57)【要約】【課題】相手側装置の状態が、電源オフ、あるいは発呼しても応答が無い場合であっても、効率良く音声通信接続を開始することのできる通信装置を提供すること。【解決手段】音声通信を行う無線送受信部４０７と、無線送受信部４０７による接続要求に対する応答状態に応じてメッセージデータを生成し、生成したメッセージデータの送信先を設定し、設定された宛先に、メッセージ生成手段で作成されたメッセージデータを送信するメッセージ送受信部４０６と、を有する構成とした。【選択図】図４
2008259095.tif 000002
【特許請求の範囲】
【請求項１】
音声通信を行う音声通信手段と、
前記音声通信手段による接続要求に対する応答状態に応じてメッセージデータを生成するメッセージ生成手段と、
前記メッセージ生成手段で生成したメッセージデータの送信先を設定する送信先設定手段と、
前記送信先設定手段で設定された宛先に、前記メッセージ生成手段で作成されたメッセージデータを送信するメッセージ送信手段と、を有することを特徴とする通信装置。
【請求項２】
前記音声通信手段が発呼した際、通信相手側装置が通信不能な状態である場合、前記メッセージ作成手段がメッセージデータを作成することを特徴とする請求項１記載の通信装置。
【請求項３】
前記音声通信手段が発呼した際、通信相手側装置から応答がない場合、前記メッセージ作成手段がメッセージデータを作成することを特徴とする請求項１記載の通信装置。
【請求項４】
前記メッセージデータは、テキストデータであることを特徴とする請求項１記載の通信装置。
【請求項５】
前記メッセージ生成手段が生成したメッセージデータを送信するか否かを操作者からの指示で決定する手段を有することを特徴とする請求項１記載の通信装置。
【請求項６】
前記送信先設定手段は、通信相手側の電話番号情報と予め定められたドメイン名とに基づいて、送信宛先アドレス情報を作成することを特徴とする請求項１記載の通信装置。
【請求項７】
送信宛先アドレス情報を記憶したアドレス情報記憶手段を有し、前記送信先設定手段は、前記アドレス情報記憶手段に記憶された中から選択することを特徴とする請求項１記載の通信装置。
【請求項８】
前記アドレス情報記憶手段には、送信宛先アドレス情報にメッセージ送信可否を示す情報が記憶されており、当該メッセージ送信可否を示す情報に基づいてメッセージデータを送信するか否かを判定する判定手段を有することを特徴とする請求項７記載の通信装置。
【請求項９】
前記メッセージ生成手段は、予め記憶されたメッセージデータの中から選択して生成することを特徴とする請求項１記載の通信装置。
【請求項１０】
前記メッセージ生成手段で生成されるメッセージデータには、自装置の電話番号またはアドレス情報が含まれることを特徴とする請求項１記載の通信装置。
【請求項１１】
音声通信を行う音声通信手段と、
ボイスメッセージデータを記憶するボイスメッセージ記憶手段と、
前記ボイスメッセージ記憶手段に記憶されているボイスメッセージデータの中から送信するボイスメッセージデータを生成するメッセージ生成手段と、
前記メッセージ生成手段で生成したボイスメッセージデータの送信先を設定する送信先設定手段と、
前記送信先設定手段で設定された宛先に、前記メッセージ生成手段で作成されたボイスメッセージデータを送信するメッセージ送信手段と、を有することを特徴とする通信装置。
【請求項１２】
音声通信を行う音声通信手段と、
装置の電源オンを検出する検出手段と、
前記検出手段が装置の電源オンを検出すると、その旨を示すメッセージデータを生成するメッセージ生成手段と、
前記メッセージ生成手段で生成したメッセージデータの送信先を設定する送信先設定手段と、
前記送信先設定手段で設定された宛先に前記メッセージ生成手段で作成されたメッセージデータを送信するメッセージ送信手段と、を有することを特徴とする通信装置。
【請求項１３】
音声通信を行う音声通信手段と、
装置の電源オフを検出する検出手段と、
前記検出手段が装置の電源オフを検出すると、その旨を示すメッセージデータを生成するメッセージ生成手段と、
前記メッセージ生成手段で生成したメッセージデータの送信先を設定する送信先設定手段と、
前記送信先設定手段で設定された宛先に前記メッセージ生成手段で作成されたメッセージデータを送信するメッセージ送信手段と、を有することを特徴とする通信装置。
【発明の詳細な説明】
【技術分野】
【０００１】
本発明は、音声通話機能とデータ通信機能を有する通信装置に関するものである。
【背景技術】
【０００２】
音声通信を主目的とした電話システムは、通信手段、通信プロトコルのシステムで様々な形態が提供されている。
【０００３】
有線接続の形態では、アナログ一般電話サービス回線や総合デジタルネットワークサービス（ＩＳＤＮ）回線などのサービスが提供されている。また、無線接続の形態では、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ｃｄｍａ（Ｃｏｄｅ  Ｄｉｖｉｓｉｏｎ  Ｍｕｌｔｉｐｌｅ  Ａｃｃｅｓｓ）、ＰＨＳ（Ｐｅｒｓｏｎａｌ  Ｈａｎｄｙ−ｐｈｏｎｅ  Ｓｙｓｔｅｍ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの無線通信サービスや、衛星電話などのサービスが提供されている。
【０００４】
また、電話端末の形態としては、据え置き型の電話機や、コードレスやセルラなど小型無線通信端末などが挙げられる。さらに、他の電話システムの利用形態として、比較的多くの人が同一の場所で同時に通話できるように拡声機能と、音声信号を集音するためのマイク機能とを搭載した、会議用スピーカーホンが挙げられる。
【０００５】
会議用スピーカーホンは、多地点間を音声通信で接続し、音声による遠隔会議を実現するために有効な通信装置である。このような会議用スピーカーホンは、これまでアナログ回線などの有線接続による通信形態が一般的であったが、例えば（特許文献１）では、従来の会議用スピーカーホンにワイヤレス電話機ハンドセットを接続して無線通信を行い、移動事務所や仮事務所といった有線接続通信環境の無い場所での電話会議を可能としている。
【特許文献１】特開２００５−３１２０４１号公報
【発明の開示】
【発明が解決しようとする課題】
【０００６】
しかしながら、有線接続、無線接続の通信形態に関わらず上記したような通信装置、例えば、会議用スピーカーホンにおいては、次のような課題が挙げられる。
【０００７】
２者（２拠点）間で電話会議を開始するために、発呼側装置から着呼側装置へ電話を発呼する場合、相手側装置の電源がオンで相手側装置の操作者が応答できれば問題はないが、着呼側装置が電源オフの場合や、電源はオンであるが操作者が不在であった場合などは、発呼側装置は、着呼側装置の電源がオフである旨の通知が届く、あるいは呼出しに対して応答が無いといった状態になる。
【０００８】
上記のように何らかの原因で音声通信接続ができない場合、何れかが再度電話発信を試みる作業や、他の通信手段（別の電話や電子メール等）でネゴシエーションを行うなどの作業が必要となり、音声通信接続を確立するために時間のロスや手間が発生するという問題がある。
【０００９】
特に、会議用スピーカーホンは使用時に電源をオンし、使用後は電源をオフにする使われ方が多く、上記問題が顕著である。
【００１０】
本発明は、相手側装置の状態が、電源オフ、あるいは発呼しても応答が無い場合であっても、効率良く音声通信接続を開始することのできる通信装置を提供することを目的とする。
【課題を解決するための手段】
【００１１】
本発明は、音声通信を行う音声通信手段と、音声通信手段による接続要求に対する応答状態に応じてメッセージデータを生成するメッセージ生成手段と、メッセージ生成手段で生成したメッセージデータの送信先を設定する送信先設定手段と、送信先設定手段で設定された宛先に、メッセージ生成手段で作成されたメッセージデータを送信するメッセージ送信手段と、を有する構成とした。
【００１２】
この構成によれば、相手側装置の応答状態によってメッセージを作成し、当該メッセージを相手側に送信するので、音声通信が確立しなかった場合でも、相手側装置は受信したメッセージによって通信相手の状態を確認することができる。
【発明の効果】
【００１３】
本発明によれば、相手側装置の応答状態によってメッセージを作成し、当該メッセージを相手側に送信するので、音声通信が確立しなかった場合でも、相手側装置は受信したメッセージによって通信相手の状態を確認することができ、効率的に音声通信を開始することが可能となる。
【発明を実施するための最良の形態】
【００１４】
以下、本発明の実施の形態について図面を用いて説明する。
【００１５】
（実施の形態１）
実施の形態１では、通信装置として会議用スピーカーホンを例として挙げている。
【００１６】
図１は、本発明の実施の形態１におけるシステム構成図であり、モバイルネットワークを利用した会議用スピーカーホンで構成されたものを示している。
【００１７】
図１において、１０１、１０２は会議用スピーカーホンである。１０３、１０４は無線リンクである。１０５はモバイルネットワークである。１０６はメッセージングサーバである。
【００１８】
会議用スピーカーホン１０１、１０２は、ＧＳＭ、ｃｄｍａ、ＰＨＳなどの無線通信機能を内蔵もしくは外付けなどの形態で有し、それぞれ無線リンク１０３、１０４によって基地局装置とリンクを確立し、モバイルネットワーク１０５に接続されている。
【００１９】
モバイルネットワーク１０５は、会議用スピーカーホン１０１、１０２などのサービス加入端末に対して呼制御、モビリティ管理、認証、課金、音声やデータの伝送などのサービスを提供する。
【００２０】
また、モバイルネットワーク１０５は、会議用スピーカーホン１０１、１０２などのサービス加入端末から送信されたテキストメッセージや、音声、画像、動画などのマルチメディアメッセージなどのメッセージデータを受信すると、メッセージングサーバ１０６に一時的に蓄積する。
【００２１】
メッセージデータがメッセージングサーバ１０６に蓄積されると、当該メッセージデータの送信先となるサービス加入端末へ定期的に送信するメッセージデータがある旨のフラグ情報を、無線リンクの共通チャネルなどで報知する。
【００２２】
送信先となるサービス加入端末は、電源オン状態で且つサービスエリア圏内に存在する場合は、前記報知情報を受信すると、データ伝送のための無線リンクを確立して、メッセージングサーバ１０６内に蓄積されたメッセージデータを受信する。
【００２３】
一方、送信先となるサービス加入端末の電源がオフ状態である場合、またはサービスエリア圏外に存在する場合は、メッセージングサーバ１０６からフラグ情報を取得できないためメッセージデータを受信できない。
【００２４】
しかし、メッセージデータを受信できなかった端末がその後、電源オン状態で且つサービスエリア圏内に存在する場合になると、サービス加入端末は定期的に送信されるフラグ情報のモニタリングを開始するため、端末操作をすることなくメッセージングサーバ１０６からメッセージングデータを受信することができる。
【００２５】
図２は、本発明の実施の形態１におけるシステムの動作シーケンスを示す図であり、図１で示したシステムについて示したものである。なお、会議用スピーカーホン１０１から会議用スピーカーホン１０２に電話接続を行う場合で、会議用スピーカーホン１０２が電源オフの場合の例を示している。
【００２６】
まず、会議用スピーカーホン１０１では、電源を起動し、電源オン状態（ステップ２０１）にする。これにより、会議用スピーカーホン１０１は、モバイルネットワーク１０５と無線リンク１０３を確立し、音声やデータの通信が可能な状態となる。
【００２７】
一方、会議用スピーカーホン１０２は、電源オフの状態であり（ステップ２０２）、モバイルネットワーク１０５と無線リンク１０４は確立されておらず、音声やデータの通信はできない状態である。
【００２８】
なお、ここでは会議用スピーカーホン１０２が電源オフの状態であるが、サービスエリア圏外である場合も同様の動作シーケンスが適用可能である。ただし、会議用スピーカーホン１０２がサービスエリア圏外の場合は、後述のステップ２０８では電源オンではなく、サービスエリア圏内復帰の状態変化とする。
【００２９】
ステップ２０１で電源オン状態となった会議用スピーカーホン１０１を用い、会議用スピーカーホン１０１の操作者は、会議用スピーカーホン１０２へ音声通信の発呼を行う（ステップ２０３）。
【００３０】
しかし、会議用スピーカーホン１０２は、電源オフ状態であるため音声通信を着信することができず、会議用スピーカーホン１０１は、会議用スピーカーホン１０２の電源がオフまたはサービス圏外である旨の音声メッセージを受け取る（ステップ２０４）。
【００３１】
電源オフまたはサービス圏外である旨の音声メッセージを受信した会議用スピーカーホン１０１は、当該音声メッセージの受信を停止した後、ショートメッセージなどのテキストメッセージを生成する（ステップ２０５）。
【００３２】
生成されるテキストメッセージは、予め定められた定型文を無条件で使用する、予め定められた定型文を選択し使用する、オペレータが文を入力する等の方法が可能である。また、生成されるテキストメッセージには、発信元（会議用スピーカーホン１０１）の電話番号やメッセージ用アドレスや、発信先（会議用スピーカーホン１０２）の電話番号やメッセージ用アドレスなどが含まれても良い。また、生成されるテキストメッセージには、画像、動画、音声などの情報が含まれても良い。
【００３３】
会議用スピーカーホン１０１は、ステップ２０５で生成したテキストメッセージを会議用スピーカーホン１０２のメッセージ用アドレス宛に送信する（ステップ２０６）。
【００３４】
会議用スピーカーホン１０２のメッセージ用アドレスは、ショートメッセージやマルチメディアメッセージなどのプロトコルを用いたテキストメッセージでは、電話番号にドメイン名を付加した構成となっている場合、ステップ２０３で音声通信の発呼を行った際の相手先電話番号と、予め設定したモバイルネットワーク１０５で使用されているドメイン名とから自動的に生成することが可能である。また、インターネット電子メール等、メッセージ用アドレスが電話番号にドメイン名を付加した体系でない場合は、予め用意されたアドレス帳から選択する、操作者からの入力指示により宛先アドレスを決定する。
【００３５】
会議用スピーカーホン１０１から送信されたテキストメッセージは、一時的にメッセージングサーバ１０６に蓄積される（ステップ２０７）。
【００３６】
ここで、会議用スピーカーホン１０２が電源オン状態になったとすると（ステップ２０８）、会議用スピーカーホン１０２は、モバイルネットワーク１０５と無線リンク１０４を確立し、無線リンク１０４に重畳されたメッセージデータがある旨のフラグ情報のモニタリングを開始し、メッセージングサーバ１０６に蓄積されたテキストメッセージを受信する（ステップ２０９）。
【００３７】
受信したテキストメッセージは、会議用スピーカーホン１０２で表示され（ステップ２１０）、送信元アドレスなどから会議用スピーカーホン１０１が通信可能状態であることを、会議用スピーカーホン１０２の操作者が認識することができる。
【００３８】
また、受信したテキストメッセージに送信元の電話番号などが含まれている場合は、会議用スピーカーホン１０２が会議用スピーカーホン１０１の電話番号を知らなかった場合でも、別の電話を使用して会議用スピーカーホン１０１の操作者と連絡を取り会議用スピーカーホン１０１の電話番号を入手するなどの手間を省略することが可能である。
【００３９】
図３は、本発明の実施の形態１におけるシステムの動作シーケンスを示す図であり、図１で示したシステムについて示したものである。なお、会議用スピーカーホン１０１から会議用スピーカーホン１０２に電話接続を行う場合で、会議用スピーカーホン１０１が会議用スピーカーホン１０２に音声通信の発呼を行っている時点で、会議用スピーカーホン１０２が電源オンではあるが、操作者が音声通信接続要求に対して応答しないの場合の例を示している。
【００４０】
図３において、まず、会議用スピーカーホン１０１、１０２は電源オンの状態となり、モバイルネットワーク１０５と無線リンク１０３、１０４を確立し、音声やデータの通信が可能な状態となる（ステップ３０１、ステップ３０２）。
【００４１】
次に、会議用スピーカーホン１０２において、会議用スピーカーホン１０２の利用者が、会議用スピーカーホン１０２の近辺から不在の状態になったとする（ステップ３０３）。
【００４２】
この状態で、会議用スピーカーホン１０１から会議用スピーカーホン１０２へ、音声通信の発呼を行う（ステップ３０４）。しかし、会議用スピーカーホン１０２では、オペレータなど会議用スピーカーホン１０２の利用者が不在のため、会議用スピーカーホン１０１からの通信接続要求に対して応答しない状態が継続する（ステップ３０５）。
【００４３】
会議用スピーカーホン１０１では、呼出し動作を行った後、応答しないため会議用スピーカーホン１０１の操作者は、発呼を終了する（ステップ３０６）。
【００４４】
相手無応答で発呼を終了すると、会議用スピーカーホン１０１はテキストメッセージを生成し（ステップ３０７）、会議用スピーカーホン１０２宛に生成したテキストメッセージを送信する（ステップ３０８）。
【００４５】
送信されたテキストメッセージは、メッセージングサーバ１０６に一時的に蓄積され（ステップ３０９）、会議用スピーカーホン１０２は蓄積されたテキストメッセージを受信（ステップ３１０）、表示（ステップ３１１）する。
【００４６】
不在であった、会議用スピーカーホン１０２の利用者が戻ると、メッセージを閲覧し、会議用スピーカーホン１０１が通信可能状態を認識することが可能である。
【００４７】
図４は、本発明の実施の形態１における通信装置の機能ブロック図であり、会議用スピーカーホン１０１、１０２について示している。
【００４８】
図４において、４０１は制御部、４０２はスピーカー部、４０３はマイク部、４０４は入力部、４０５は表示部、４０６はメッセージ送受信部、４０７は無線送受信部４０７である。
【００４９】
制御部４０１は、スピーカー部４０２に対する機能の起動、停止、出力量調整等の制御やスピーカー部４０２で出力するための音声信号の送信や、マイク部４０３に対する機能の起動、停止、入力量調整等の制御やマイク部４０３で集音した音声信号の受信や、テンキー、タッチパネルなどの入力部４０４に対する機能の起動、停止などの制御や入力部４０４で入力された信号の受信や、ＬＣＤパネルなどの表示部４０５に対する機能の起動、停止などの制御や表示部４０５で表示するための信号の送信や、メッセージ送受信部４０６に対する機能の起動、停止などの制御や、無線送受信部４０７に対する機能の起動、停止、音声やデータの送受信などの制御を行う。また、制御部４０１では、図２や図３に示されるような所定の動作シーケンスに基づいて、テキストメッセージの送受信の制御を行う。
【００５０】
スピーカー部４０２は、制御部４０１から送信された音声信号を出力する。マイク部４０３は、音声を集音し、集音した信号を制御部４０１に出力する。テンキーやタッチパネルなどの入力部４０４は、会議用スピーカーホンのオペレータの入力を受信し、制御部４０１に出力する。ＬＣＤパネルなどの表示部４０５は、制御部４０１から受信したテキストメッセージなどを表示する。
【００５１】
メッセージ送受信部４０６は、ショートメッセージ、マルチメディアメッセージ、インターネットメールなどのメッセージを所定のプロトコルに従って、入力部４０４からの入力や、事前に用意されメッセージ送受信部４０６に蓄積されたテンプレートなどに基づいてメッセージを生成し、制御部４０１に出力する。また、メッセージ送受信部４０６は、制御部４０１から受信したメッセージを所定のプロトコルに従ってテキスト、画像、動画、音声などの情報に変換し、制御部４０１に出力する。
【００５２】
無線送受信部４０７は、無線リンク１０３や１０４などの無線リンク制御や、音声信号、データ信号の無線送受信を行う。
【００５３】
図５は、本発明の実施の形態１における通信装置の動作フローチャートであり、図２、図３のシーケンスにおける、会議用スピーカーホン１０１の制御部４０１のテキストメッセージの生成、送信に関する制御フローを示したものである。
【００５４】
図２の動作シーケンスの場合を例に、図５の制御フローを説明する。
【００５５】
図５において、会議用スピーカーホン１０１の電源が起動され、電源オン状態になると、制御部４０１はテキストメッセージ送信制御を開始する（ステップ５０１）。
【００５６】
会議用スピーカーホン１０１が、会議用スピーカーホン１０２へ音声通信の発呼を行い（ステップ５０２）、これに対して会議用スピーカーホン１０２が応答するか否かを判定する（ステップ５０３）。
【００５７】
会議用スピーカーホン１０２が応答した場合は、その応答種別を判定する（ステップ５０４）。会議用スピーカーホン１０２が、会議用スピーカーホン１０１の発呼に対して音声通信接続応答した場合、通話が開始され（ステップ５０５）、制御を終了する（ステップ５０６）。
【００５８】
ステップ５０４において、電源オフ状態もしくはサービス圏外状態などを通知する応答の場合、続いて、終話されたか否かを判定し（ステップ５０７）、終話されていない場合は、電源オフもしくは圏外通知の受信を継続する。ステップ５０７で、終話されたと判定した場合はステップ５０９へ進む。
【００５９】
ステップ５０９では、制御部４０１からメッセージ送受信部４０６に対してテキストメッセージ生成コマンドが発行される。テキストメッセージ生成コマンドを受信したメッセージ送受信部４０６では、予めメッセージ送受信部４０６に蓄積されたメッセージのテンプレートや、入力部４０４から操作者によって入力されたメッセージや、会議用スピーカーホン１０１の電話番号およびテキストメッセージの宛先である会議用スピーカーホン１０２の電話番号などの情報から、テキストメッセージを生成する。
【００６０】
具体的には、送信するテキストメッセージのプロトコルが、ＳＭＳ（ショートメッセージサービス）やＥＭＳ（エンハンスドメッセージサービス）、ＭＭＳ（マルチメディアメッセージサービス）等では、メッセージの宛先アドレスが電話番号であるため、通信接続要求を行った電話番号と契約キャリアのドメイン名とで宛先アドレスを生成することができる。
【００６１】
生成されたテキストメッセージは、制御部４０１、無線送受信部４０７を介して送信され（ステップ５１０）、制御を終了する（ステップ５０６）。
【００６２】
一方、ステップ５０３において、応答がない場合は、会議用スピーカーホン１０２の呼出し制御が停止されたか否かを判定し（ステップ５０８）、停止されない場合は応答待ち状態を継続し、停止された場合はステップ５０９に進みテキストメッセージ生成の実行を開始する。なお、ステップ５０８において、所定回数発呼しても応答がない場合に停止するよう制御してもよい。
【００６３】
以上のように実施の形態１では、会議用スピーカーホン１０１から音声通話の発呼を試みた際、音声通話の接続確立ができなかった場合、会議用スピーカーホン１０２の応答状態に応じて、テキストメッセージを作成し、会議用スピーカーホン１０２宛に送信するので、会議用スピーカーホン１０１と１０２の音声通信を確立するに当って、効率よく迅速に対応することができるようになる。
【００６４】
（実施の形態２）
実施の形態２は、呼接続要求を行った相手側装置がテキストメッセージの送受信に非対応である場合や、テキストメッセージサービスに加入していない場合など、相手側装置がテキストメッセージを受信できない場合に対応するため、テキストメッセージを送信するか否かを選択できるようにした点が実施の形態１とは異なる。
【００６５】
図６は、本発明の実施の形態２における通信装置の動作フローチャートであり、図２、図３に示される制御シーケンスにおける呼接続要求を行った会議用スピーカーホン１０２が、電源オフもしくはサービス圏外である場合、所定回数の呼出しに対して応答しない場合に、会議用スピーカーホン１０１がテキストメッセージを送信するか否かを選択する制御部４０１の制御フローを示している。
【００６６】
なお、図６では、図５と同一の処理を行うステップでは、図５と同一のステップ番号を付している。
【００６７】
図６において、会議用スピーカーホン１０２から電源オフもしくは圏外通知がなされて終話処理を行った（ステップ５０７）、または、応答が無く呼出し処理を停止した（ステップ５０８）場合、表示部４０５にテキストメッセージを送信するか否かを会議用スピーカーホン１０１の操作者に判定を求めるメッセージ表示を行う（ステップ６０１）。
【００６８】
操作者から、送信するか否かの指示を入力部４０４から受けると（ステップ６０２）、送信しない場合は制御を終了し（ステップ５０６）、送信する場合は、ステップ５０９に進み、以降の処理を行う。
【００６９】
以上のように、実施の形態２では、実施の形態１の構成に加え、テキストメッセージを送信するか否かを操作者へ問い合わせる構成としたことにより、会議用スピーカーホン１０２がテキストメッセージ非対応の場合に、無駄にテキストメッセージを送信することを防ぐことができる。
【００７０】
（実施の形態３）
テキストメッセージのプロトコルが、実施の形態１で示したような電話番号とドメイン名で作成できるような宛先以外の場合、例えば、インターネット電子メールのような電話番号とは無関係のアドレス名を使用している場合は、手動での入力やアドレス帳からの引用などの制御が必要となる。
【００７１】
図７は、本発明の実施の形態３における通信装置の機能ブロック図であり、アドレス帳機能を有する場合の、会議用スピーカーホン１０１について示したものである。なお、図４と同構成の機能ブロックには、図４と同一の番号を付している。
【００７２】
図７において、アドレス帳制御部７０１は、制御部４０１からの制御コマンドに応じて、入力部４０４から入力されたアドレス帳データをアドレス帳記憶部７０２に蓄積したり、アドレス帳記憶部７０２に蓄積されたアドレス帳データの検索や検索結果を制御部４０１に出力したりする。
【００７３】
また、アドレス帳記憶部７０２は、アドレス帳データの蓄積や、アドレス帳制御部７０１の要求に応じて、アドレス帳データの検索や入出力を行う。
【００７４】
図８は、本発明の実施の形態３における通信装置の動作フローチャートであり、インターネット電子メールなどの場合のような通信先電話番号などからアドレスを自動生成できない、もしくは、任意のアドレスにテキストメッセージを送信する場合の制御部４０１における制御の様子を示している。なお、図８では、図５の処理と同一の処理を行うステップでは、図５と同一のステップ番号を付している。
【００７５】
図８に示すように、電源オフもしくは圏外通知に対して終話した場合（ステップ５０７）や、応答が無く呼出し制御を停止した場合（ステップ５０８）、テキストメッセージを生成する（ステップ５０９）。
【００７６】
続いて、テキストメッセージを送信する宛先アドレスの入力制御を開始する（ステップ８０１）。
【００７７】
ここでは、直接入力部４０４から操作者が相手先の電子メールアドレスを入力しても良いし、アドレス帳記憶部７０２に蓄積された電子メールアドレスのデータを、アドレス帳制御部７０１と制御部４０１を介して表示部４０５に表示し、操作者がその中から選択しても良い。
【００７８】
入力された宛先アドレスに、テキストメッセージを送信し（ステップ５１０）、制御を終了する（ステップ５０６）。
【００７９】
以上のように、実施の形態３では、テキストメッセージとして、汎用性の高い電子メールを利用することができる。
【００８０】
（実施の形態４）
実施の形態２では、テキストメッセージの送信にあたって、操作者が送信するか否かを指示していたが、実施の形態３では、アドレス帳のフラグをから判定するようにしたものである。
【００８１】
図９は、本発明の実施の形態４における通信装置の動作フローチャートであり、テキストメッセージを送信するか否かをアドレス帳のフラグをから判定する場合の制御部４０１の制御を示したものである。なお、図５と同様の処理を行うステップには図５と同一のステップ番号を付している。
【００８２】
また、図１０は、本発明の実施の形態４におけるアドレス帳のデータ例を示す図であり、１００１の列は通信先の名前を、１００２の列は通信先の電話番号を、１００３の列は通信先の電子メールアドレスを、１００４はテキストメッセージの送信の可否を示すフラグを、それぞれ示している。
【００８３】
また、本実施の形態では、図７に示す機能ブロック構成図に基づいて以下説明を行う。
【００８４】
図９において、電源オフもしくはサービス圏外通知に対して終話した場合（ステップ５０７）や、応答が無く呼出し制御を停止した場合（ステップ５０８）、アドレス帳の取得を行う（ステップ９０１）。
【００８５】
ステップ９０１では、制御部４０１は、アドレス帳制御部７０１にアドレス帳取得コマンドを発行し、アドレス帳記憶７０２からのアドレス帳データの取得を行う。取得したアドレス帳において、通信接続要求を行った相手先電話番号に該当する送信可否フラグ１００４を取得し、テキストメッセージの送信が許可されているか否かを判定する（ステップ９０２）。
【００８６】
送信が許可されていない場合は、制御を終了し（ステップ５０６）、送信が許可されている場合は、テキストメッセージを生成し（ステップ５０９）、さらに、生成されたテキストメッセージを送信し（ステップ５１０）、制御を終了する（ステップ５０６）。
【００８７】
以上のように、実施の形態４では、アドレス帳記憶部７０２のアドレス帳データとして、テキストメッセージの送信可否フラグが記憶されており、当該フラグに基づいてテキストメッセージの送信可否を決定することができる。
【００８８】
（実施の形態５）
実施の形態１〜４では、テキストメッセージの例を示してきたが、実施の形態５では、テキストメッセージに替えてボイスメッセージを使用した場合の例を示す。
【００８９】
図１１は、本発明の実施の形態５におけるシステムの動作シーケンスを示す図であり、通信相手の装置（会議用スピーカーホン１０２）が電源オフやサービスエリア圏外である、または、応答しない場合に、ボイスメッセージを送信する場合の動作シーケンスを示している。なお、図２と同一の処理には、同一のステップ番号を付している。
【００９０】
図１１において、会議用スピーカーホン１０１が発呼すると（ステップ２０３）、会議用スピーカーホン１０２が電源オフもしくは圏外通知である、もしくは、応答しない場合（ステップ２０４）は、会議用スピーカーホン１０１はボイスメッセージを生成する（ステップ１１０１）。
【００９１】
生成されたボイスメッセージは、会議用スピーカーホン１０２宛に送信され（ステップ１１０２）、一時的にメッセージングサーバ１０６に蓄積される（ステップ１１０３）。
【００９２】
会議用スピーカーホン１０２が電源オンになると（ステップ２０８）、メッセージングサーバ１０６から会議用スピーカーホン１０２に向けてボイスメッセージインディケータが送信される（ステップ１１０４）。
【００９３】
ボイスメッセージインディケータは、会議用スピーカーホン１０２宛にボイスメッセージが蓄積されていることを通知するメッセージで、ボイスメッセージのデータ自体は、まだ会議用スピーカーホン１０２には送信されていない。
【００９４】
ボイスメッセージインディケータを受信した会議用スピーカーホン１０２は、表示部４０５にボイスメッセージが届いていることを示すボイスメッセージインディケータを表示する（ステップ１１０５）。
【００９５】
ボイスメッセージが届いていることを会議用スピーカーホン１０２の操作者が認識すると、ボイスメッセージ受信要求をメッセージングサーバ１０６に送信し（ステップ１１０６）、その応答としてボイスメッセージを受信する（ステップ１１０７）。
【００９６】
図１２は、本発明の実施の形態５における通信装置の機能ブロック図であり、ボイスメッセージ送信機能を有する会議用スピーカーホン１０１を示している。なお、図４と同構成のブロックには、図４と同一の符号を付している。
【００９７】
図１２において、ボイスメッセージ記憶部１２０１は、予め作成されたボイスメッセージデータや、マイク部４０３から音声を入力することにより作成したボイスメッセージデータなどを蓄積する。
【００９８】
図１３は、本発明の実施の形態５における通信装置の動作フローチャートであり、会議用スピーカーホン１０１がボイスメッセージを送信する場合の制御部４０１の制御を示している。なお、図５と同一の処理を行うステップでは、図５と同一のステップ番号を付している。
【００９９】
図１３において、会議用スピーカーホン１０１は、通信先となる会議用スピーカーホン１０２が電源オフもしくは圏外通知に対して終話した場合（ステップ５０７）や、応答が無く呼出し制御を停止した場合（ステップ５０８）、ボイスメッセージを生成する（ステップ１３０１）。
【０１００】
ボイスメッセージは、予め作成され、ボイスメッセージ記憶部１２０１に蓄積されているメッセージを選択して使用する、もしくは、マイク部４０３から入力された音声をデータ化し生成する。
【０１０１】
続いて、生成されたボイスメッセージを送信し（ステップ１３０２）、制御を終了する（ステップ５０６）。
【０１０２】
以上のように、実施の形態５では、テキストメッセージではなくボイスメッセージを利用して、通信相手側装置に状況を知らせることができる。
【０１０３】
（実施の形態６）
図１４は、本発明の実施の形態６における通信装置の動作フローチャートであり、会議用スピーカーホン１０１の電源オン制御を行った際、通信相手側にテキストメッセージを送信する制御部４０１の制御フローを示している。
【０１０４】
図１４において、制御が開始され（ステップ１４０１）、入力部４０４から電源オンの入力が発生すると（ステップ１４０２）、制御部４０１は各機能ブロックに対して電源オン制御を実行する（ステップ１４０３）。
【０１０５】
各機能ブロックが起動すると、電源オンメッセージを生成する（ステップ１４０４）。電源オンメッセージは、会議用スピーカーホン１０１の電源が起動され、通信可能状態となったことを示すテキストメッセージである。
【０１０６】
次に、生成された電源オンメッセージを、メッセージ送受信部４０６、制御部４０１、無線送受信部４０７を介して、予め指定された通信相手側装置のアドレスに送信し（ステップ１４０５）、制御を終了する（ステップ１４０６）。
【０１０７】
以上のように、実施の形態６によれば、電源オンをするとすぐに通信相手側装置へ、自身が通信可能な状態となったことをテキストメッセージにより通知することができる。
【０１０８】
（実施の形態７）
図１５は、本発明の実施の形態７における通信装置の動作フローチャートであり、会議用スピーカーホン１０１の電源オフ制御を行った場合に、テキストメッセージを送信する制御部４０１の制御を示している。
【０１０９】
図１５において、制御が開始され（ステップ１５０１）、入力部４０４から電源オフの入力が発生すると（ステップ１５０２）、電源オフメッセージを生成する（ステップ１５０３）。
【０１１０】
電源オフメッセージは、会議用スピーカーホン１０１が電源オフ状態になり、通信不可状態となったことを示すメッセージである。
【０１１１】
次に、生成された電源オフメッセージを、メッセージ送受信部４０６、制御部４０１、無線送受信部４０７を介して、予め指定された通信相手側装置のアドレスに送信する（ステップ１５０４）。
【０１１２】
電源オフメッセージ送信後、制御部４０１は、各機能ブロックに対して電源オフ制御を実行し（ステップ１５０５）、処理を終了する（ステップ１５０６）。
【０１１３】
以上のように、実施の形態７によれば、装置の電源オフ時に通信相手側装置に自身が電源オフした旨のテキストメッセージにより通知することができる。
【０１１４】
なお、上記各実施の形態は、矛盾しない範囲において、相互に利用可能である。
【０１１５】
また、上記各実施の形態は、会議用スピーカーホンを例として示したが、固定電話、携帯電話等の通信装置においても利用可能である。
【０１１６】
また、上記各実施の形態は、無線通信を例として示しているが、有線通信でも利用可能である。
【産業上の利用可能性】
【０１１７】
本発明に係る通信装置は、通信相手側が電源オフ状態やサービスエリア圏外である場合、または、通信相手側の操作者が不在などの理由から応答しない場合に、自身の通信装置の状態をテキストメッセージやボイスメッセージなどで通知できることから、会議用スピーカーホンや、携帯電話、固定電話など、音声通信を中心とした通信機器への利用が可能である。
【図面の簡単な説明】
【０１１８】
【図１】本発明の実施の形態１におけるシステム構成図
【図２】本発明の実施の形態１におけるシステムの動作シーケンスを示す図
【図３】本発明の実施の形態１におけるシステムの動作シーケンスを示す図
【図４】本発明の実施の形態１における通信装置の機能ブロック図
【図５】本発明の実施の形態１における通信装置の動作フローチャート
【図６】本発明の実施の形態２における通信装置の動作フローチャート
【図７】本発明の実施の形態３における通信装置の機能ブロック図
【図８】本発明の実施の形態３における通信装置の動作フローチャート
【図９】本発明の実施の形態４における通信装置の動作フローチャート
【図１０】本発明の実施の形態４におけるアドレス帳のデータ例を示す図
【図１１】本発明の実施の形態５におけるシステムの動作シーケンスを示す図
【図１２】本発明の実施の形態５における通信装置の機能ブロック図
【図１３】本発明の実施の形態５における通信装置の動作フローチャート
【図１４】本発明の実施の形態６における通信装置の動作フローチャート
【図１５】本発明の実施の形態７における通信装置の動作フローチャート
【符号の説明】
【０１１９】
１０１、１０２    会議用スピーカーホン
１０５    モバイルネットワーク
１０６    メッセージングサーバ
４０１    制御部
４０２    スピーカー部
４０３    マイク部
４０４    入力部
４０５    表示部
４０６    メッセージ送受信部
４０７    無線送受信部
７０１    アドレス帳制御部
７０２    アドレス帳記憶部
１２０１    ボイスメッセージ記憶部
【図１】
2008259095.tif 000003
【図２】
2008259095.tif 000004
【図３】
2008259095.tif 000005
【図４】
2008259095.tif 000006
【図５】
2008259095.tif 000007
【図６】
2008259095.tif 000008
【図７】
2008259095.tif 000009
【図８】
2008259095.tif 000010
【図９】
2008259095.tif 000011
【図１０】
2008259095.tif 000012
【図１１】
2008259095.tif 000013
【図１２】
2008259095.tif 000014
【図１３】
2008259095.tif 000015
【図１４】
2008259095.tif 000016
【図１５】
2008259095.tif 000017